(57)【要約】【課題】床１１に敷かれているカーペット３の上面に着脱自在に貼り付けられるカーペット用表示具１において、踏まれても可視情報が損傷したり、汚れたりすることがないとともに、人が足を滑らせることがなく、安全なカーペット用表示具を提供する。【解決手段】カーペット３の上面に着脱自在に貼り付けられる面ファスナー２の上に、シート状ないしはフィルム状をなしていて可視情報を担持している可視情報担持体５を重ね、さらに、透明でシート状ないしはフィルム状をなしているとともに滑り止め特性を有している表面体７で可視情報担持体５の上面を覆う。【選択図】図４
2015154797.tif 000002
【特許請求の範囲】
【請求項１】
床に敷かれているカーペットの上面に着脱自在に貼り付けられるカーペット用表示具において、
カーペットの上面に着脱自在に貼り付けられる面ファスナーと、
シート状ないしはフィルム状をなしていて、可視情報を担持しており、下面側を前記面ファスナーの上面に重ねられた可視情報担持体と、
透明でシート状ないしはフィルム状をなしているとともに、滑り止め特性を有しており、前記可視情報担持体の上面を覆っている表面体とを有してなり、
外部上方から前記表面体を通して前記可視情報を視認できるようになっているカーペット用表示具。
【請求項２】
前記表面体は、シート状ないしはフィルム状をなす透明な表面体本体と、この表面体本体の上面に固着された多数の透明なガラスビーズとを有してなる請求項１記載のカーペット用表示具。
【請求項３】
前記面ファスナーと前記可視情報担持体との間に介在された両面テープをさらに有し、前記面ファスナーと前記可視情報担持体とは該両面テープにより互いに接合されている請求項１または２記載のカーペット用表示具。
【請求項４】
前記面ファスナーと前記可視情報担持体と前記表面体とは、少なくとも周辺部を熱溶着により互いに接合されている請求項１乃至３のいずれか１項に記載のカーペット用表示具。
【請求項５】
前記表面体は、該表面体の下面に塗布された粘着剤により前記可視情報担持体の上面に粘着されている請求項１乃至４のいずれか１項に記載のカーペット用表示具。
【請求項６】
前記可視情報担持体はターポリンからなり、前記可視情報は前記可視情報担持体に印刷により担持されている請求項１乃至５のいずれか１項に記載のカーペット用表示具。
【発明の詳細な説明】
【技術分野】
【０００１】
本発明は、文字、図形、記号、絵、写真等の可視情報を担持しており、建物等の床に敷かれたカーペットに貼り付けられて、その位置において安全、誘導、案内、広告、その他に関する種々の情報を伝達するカーペット用表示具に関する。
【背景技術】
【０００２】
従来より、可視情報を担持した可視情報担持体を面ファスナーに積層してなり、前記面ファスナーによりカーペットに貼り付けられて、種々の情報を伝達するものとしては、特許文献１に開示されている「意思伝達情報を表現したフロアマット」および特許文献２に開示されている「カーペット用誘導表示具」があった。
【先行技術文献】
【特許文献】
【０００３】
【特許文献１】特開２００７−２０９５０７号公報
【特許文献２】特開２００７−２０９５１４号公報
【発明の概要】
【発明が解決しようとする課題】
【０００４】
しかしながら、上記従来のフロアマットおよび表示具においては、足で踏まれる等により可視情報が損傷したり、汚れたりするという問題があったり、人が踏んだときに足が滑ってしまうことがあるという問題があった。
【０００５】
本発明は、このような従来の事情に鑑みてなされたもので、本発明の目的の一つは、踏まれても文字、図形、記号、絵、写真等の可視情報が損傷したり、汚れたりすることがないカーペット用表示具を提供することにある。
【０００６】
本発明の他の目的は、人が足を滑らせることがなく、安全なカーペット用表示具を提供することにある。
【０００７】
本発明のさらに他の目的は、以下の説明から明らかになろう。
【課題を解決するための手段】
【０００８】
本発明によるカーペット用表示具は、
床に敷かれているカーペットの上面に着脱自在に貼り付けられるカーペット用表示具において、
カーペットの上面に着脱自在に貼り付けられる面ファスナーと、
シート状ないしはフィルム状をなしていて、可視情報を担持しており、下面側を前記面ファスナーの上面に重ねられた可視情報担持体と、
透明でシート状ないしはフィルム状をなしているとともに、滑り止め特性を有しており、前記可視情報担持体の上面を覆っている表面体とを有してなり、
外部上方から前記表面体を通して前記可視情報を視認できるようになっているものである。
【０００９】
本発明においては、表面体が可視情報を覆っているので、踏まれても可視情報が損傷したり、汚れたりすることがない。
【００１０】
また、表面体が滑り止め特性を有しているので、人が足を滑らせることがなく安全である。
【００１１】
なお、表面体を、シート状ないしはフィルム状をなす表面体本体と、この表面体本体の上面に固着された多数の透明なガラスビーズとを有してなるようにすれば、表面体全体としての透明性を損なうことなく、したがって可視情報の視認性を損なうことなく、特に優れた滑り止め特性を得ることができる。
【００１２】
また、表面体を該表面体の下面に塗布された粘着剤により可視情報担持体の上面に粘着するようにすれば、可視情報担持体に対して表面体が浮き上がって外見が醜くなるとともに可視情報が見えにくくなるのを防止できる。
【００１３】
また、面ファスナーと可視情報担持体との間に両面テープを介在させ、面ファスナーと可視情報担持体とを該両面テープにより互いに接合するようにすれば、面ファスナーに対して可視情報担持体の中央側部分が浮き上がって外見が醜くなるのを防止できる。
【００１４】
また、面ファスナーと可視情報担持体と表面体とを、少なくとも周辺部において熱溶着により互いに接合するようにすれば、これらを互いに強固に接合できる。
【００１５】
さらに、可視情報担持体をターポリンにより構成し、可視情報は可視情報担持体に印刷により担持させるようにすれば、ターポリンは印刷性、強度、加工性、接着性、柔軟性、耐久性等に優れているため、可視情報を綺麗に印刷できる他、種々の面においてより一層優れたカーペット用表示具を得ることができる。
【発明の効果】
【００１６】
本発明のカーペット用表示具は、
（イ）踏まれても文字、図形、記号、絵、写真等の可視情報が損傷したり、汚れたりすることがない、
（ロ）人が足を滑らせることがなく安全である、
等の優れた効果を得られるものである。
【図面の簡単な説明】
【００１７】
【図１】本発明のカーペット用表示具の実施例１を示す平面図である。
【図２】図１のＩＩ−ＩＩ線における断面図である。
【図３】前記実施例１における表面体のみを取り出して示す拡大断面図である。
【図４】前記実施例１のカーペット用表示具をカーペットの上面に貼り付けた状態を示す断面図である。
【図５】本発明のカーペット用表示具の実施例２を示す平面図である。
【図６】本発明のカーペット用表示具の実施例３を示す平面図である。
【図７】前記実施例３を示す底面図である。
【発明を実施するための形態】
【００１８】
以下、本発明を図面に示す実施例に基づいて説明する。
【実施例１】
【００１９】
図１〜４は本発明の実施例１を示している。図２に示されるように、カーペット用表示具１の最下層はオス面ファスナー２で構成される。図示していないが、前記面ファスナー２の下面２ａ側には多数のかぎ状、フック状、キノコ状またはやじり状等の係合子が設けられており、建物等の床１１に敷かれたカーペット３（図４参照）の上面に着脱自在に貼り付けることができるようになっている。
【００２０】
なお、本発明によるカーペット用表示具１の貼り付け対象となるカーペット３は、面ファスーを貼り付けることができる構造のカーペット３であり、一般に、パイル（織物表面の毛房）を有するカーペット３は面ファスナー２を貼り付け可能である。さらに詳しく言うと、パイルを有するカーペット３としては、（ａ）ループカーペット（パイルをループ状のままとしてカットしていないもの）、（ｂ）カットループカーペット（パイルをカットしてループ状でなくなるようにしたもの）、（ｃ）カットアンドループカーペット（ループ状のパイルとカットしたパイルとを両方有するもの）があり、面ファスナー２の貼り付け易さから言うと、一般にループカーペット、カットアンドループカーペット、カットループカーペットの順番となるが、面ファスナー２の係合子の形状を工夫する等により、カットループカーペットも面ファスナー２を貼り付け可能である。
【００２１】
前記面ファスナー２の上面には、両面テープ４を介して、ターポリンからなるシート状の可視情報担持体５が重ねられており、両者は両面テープ４の粘着力により接合されている。なお、前記両面テープ４は、面ファスナー２および可視情報担持体５の全面ではなく、図１に示されるように、周辺側を除いた中央部側部分にのみ設けられている。前記可視情報担持体５の上面には文字、図形、記号、絵、写真等の可視情報６が印刷により担持されている。
【００２２】
前記可視情報担持体５の上面には、シート状ないしはフィルム状の表面体７が重ねられている。前記表面体７は、図３に示されるように、アクリル系樹脂からなり、シート状ないしはフィルム状をなす透明な表面体本体８と、この表面体本体８の上面に固着された多数の透明なガラスビーズ９とを有してなり、表面体本体８の下面には粘着剤（図示せず）が塗布されている。前記ガラスビーズ９は、その一部が表面体本体８内に埋没し、残りの一部が表面体本体８外に露出されている。このようにガラスビーズ９を固着されることにより、表面体７の上面は滑り止め特性を有している。また、表面体本体８およびガラスビーズ９が共に透明であるため、表面体７は全体としても透明であり、外部上方から表面体７を通して可視情報６を視認できる。また、表面体７は該表面体７の下面に塗布された前記粘着剤により可視情報担持体５の上面に粘着されている。
【００２３】
前記面ファスナー２と可視情報担持体５と表面体７とは、それらの周辺部分（したがって両面テープ４が存在しない部分）において全周に渡って熱溶着により互いに接合されている。符号１０はこの熱溶着部を示している。
【００２４】
このカーペット用表示具１は、図４に示されるように、建物等の床１１に敷かれているカーペット３の上面の適宜な場所に、面ファスナー２により着脱自在に貼り付け、その位置において可視情報６により情報を伝達することができる。
【００２５】
このカーペット用表示具１においては、表面体７が可視情報６を覆っているので、踏まれても可視情報６が損傷したり、汚れたりすることがない。
【００２６】
また、表面体７が滑り止め特性を有しているので、人が足を滑らせることがなく安全である。
【００２７】
また、特に本実施例では、表面体７が、シート状ないしはフィルム状をなす表面体本体８と、この表面体本体８の上面に固着された多数の透明なガラスビーズ９とを有してなるので、表面体７全体としての透明性を損なうことなく、したがって可視情報６の視認性を損なうことなく、特に優れた滑り止め特性を得ることができる。
【００２８】
また、本実施例では、表面体７が該表面体７の下面に塗布された粘着剤により可視情報担持体５の上面に粘着されているので、可視情報担持体５に対して表面体７が浮き上がって外見が醜くなるとともに可視情報６が見えにくくなるのを防止できる。
【００２９】
また、本実施例では、面ファスナー２と可視情報担持体５との間に両面テープ４が介在され、面ファスナー２と可視情報担持体５とを該両面テープ４により互いに接合しているので、面ファスナー２に対して可視情報担持体５の中央側部分が浮き上がって外見が醜くなるのを防止できる。
【００３０】
また、本実施例では、面ファスナー２と可視情報担持体５と表面体７とを、それらの周辺部において熱溶着により互いに接合しているので、これらを互いに強固に接合できる。
【００３１】
さらに、本実施例では、可視情報担持体５が印刷性、強度、加工性、接着性、柔軟性、耐久性等に優れているターポリンからなり、可視情報６は可視情報担持体５に印刷により担持されているので、可視情報６を綺麗に印刷できる他、種々の面においてより一層優れたカーペット用表示具を得ることができる。
【実施例２】
【００３２】
図５は本発明の実施例２を示している。本実施例は、面ファスナー２、可視情報担持体５、両面テープ４および表面体７の形状を変更するととともに、可視情報６の内容を変更しただけで、基本的な構成自体は実施例１の場合と同様である。したがって、実施例１の場合と同様の作用効果を得ることができる。
【実施例３】
【００３３】
図６および７は、本発明によるカーペット用表示具１の実施例３を示している。一般に面ファスナー２はテープ状の形態で市販されており、一定以上幅の広い面ファスナー２を入手することは困難である。本実施例は、比較的に幅の狭い面ファスナー２を使用して幅の広いカーペット用表示具１を作成する例である。
【００３４】
本実施例においては、図７（底面図）に示されるように、それぞれ細長い矩形状をなす２枚の面ファスナー２をそれぞれの一辺を互いに当接させるようにして並べ、２枚の面ファスナー２が１つの幅の広い矩形を構成するようにする。そして、図６に示されるように、前記２枚の面ファスナー２の上面には、両面テープ４を介して、幅の広い矩形状をなす１枚の可視情報担持体５が重ねられており、両者は両面テープ４の粘着力により接合されている。なお、前記両面テープ４は、各面ファスナー２に対し１枚、合計２枚設けられている。また、各両面テープ４は面ファスナー２および可視情報担持体５の全面ではなく、各面ファスナー２の周辺側を除いた中央部側部分にのみ設けられている。
【００３５】
前記可視情報担持体５の上面には、幅の広い矩形状をなすシート状ないしはフィルム状の１枚の表面体７が重ねられている。前記面ファスナー２と可視情報担持体５と表面体７とは、面ファスナー２および可視情報担持体５の周辺となる部分および各面ファスナー２の周辺部分となる部分において全周に渡って熱溶着されて、互いに接合されている。符号１０はこの熱溶着部を示している。
【００３６】
他の構成は前記各実施例の場合と同様である。
【００３７】
本実施例においては、２枚の面ファスナー２を並べて使用することにより、比較的に幅の狭い面ファスナー２を使用して幅の広いカーペット用表示具１を作成することができる。
【００３８】
また、その他、前記各実施例と同様の作用効果を得ることができる。
【００３９】
なお、前記各実施例においては、可視情報担持体５をターポリンで構成しているが、本発明においては、可視情報担持体はターポリン以外の以外のシート状ないしはフィルム状の材料で構成してもよい。
【００４０】
また、前記各実施例では図形、記号、絵、写真等の可視情報６を印刷により可視情報担持体５に担持させているが、本発明においては、印刷以外の手段により可視情報を可視情報担持体に担持させてもよい。
【００４１】
また、本発明においては、可視情報は前記各実施例に示されているようなものに限定されることはなく、自由に選択できる。
【産業上の利用可能性】
【００４２】
以上のように本発明によるカーペット用表示具は、建物等の床に敷かれたカーペットに貼り付けられて、その位置において種々の情報を伝達するカーペット用表示具として有用である。
【符号の説明】
【００４３】
１    カーペット用表示具
２    面ファスナー
２ａ  面ファスナーの下面
３    カーペット
４    両面テープ
５    可視情報担持体
６    可視情報
７    表面体
８    表面体本体
９    ガラスビーズ
１０    熱溶着部
１１    床
【図１】
2015154797.tif 000003
【図２】
2015154797.tif 000004
【図３】
2015154797.tif 000005
【図４】
2015154797.tif 000006
【図５】
2015154797.tif 000007
【図６】
2015154797.tif 000008
【図７】
2015154797.tif 000009